(57)【特許請求の範囲】
【請求項１】
操作部と、
表示部と、
発信先との通信を基地局を介して行う送受信部と、
前記操作部に行われた操作に応じて前記送受信部の動作を制御する処理部と、
任意の発信先が登録されている電話帳情報を記憶する記憶部と、
を有し、
前記処理部は、
前記操作部に行われた操作に応じて前記記憶部から前記電話帳情報を読み出したとき、
前記送受信部と通信接続している前記基地局から当該基地局を介した通信の通信履歴情報を取得し、
前記通信履歴情報に含まれている自ら発信した発信先を特定して当該発信を行った時刻を示す情報を用いて前記特定した発信先の優先順位を設定し、
前記記憶部から読み出した前記電話帳情報に登録されている各発信先を前記優先順位に対応させて並べ替え、
前記並べ替えた発信先を優先順位の高い順に前記表示部に表示させる
携帯型通信装置。
【請求項２】
携帯型通信装置の処理部が、当該携帯型通信装置の操作部に行われた操作に応じて前記携帯型通信装置の記憶部から電話帳情報を読み出す第１の工程と、
前記処理部が、前記携帯型通信装置の送受信部と通信接続している基地局に通信履歴情報を要求する第２の工程と、
前記基地局が、自ら記憶している通信履歴情報を前記携帯型通信装置へ送信する第３の工程と、
前記携帯型通信装置の処理部が、前記送受信部を用いて取得した前記通信履歴情報に含まれている自ら発信した発信先を特定する第４の工程と、
前記処理部が、前記通信履歴情報に含まれている発信時刻を示す情報を用いて前記特定した発信先の優先順位を設定する第５の工程と、
前記処理部が、前記電話帳情報に登録されている各発信先を前記優先順位に対応させて並べ替える第６の工程と、
前記処理部が、前記並べ替えた発信先を前記優先順位の高い順に前記携帯型通信装置の表示部に表示させる第７の工程と、
を有する
通信方法。
【発明の詳細な説明】
【０００１】
【発明の属する技術分野】
本発明は、例えば、電話帳に登録された電話番号をユーザが効率的に検索できる携帯型通信装置および通信方法に関する。
【０００２】
【従来の技術】
携帯電話などの携帯型通信装置は、通信機能の他に、通信先の通信装置の電話番号やアドレスなどの識別情報を登録して記憶する、いわゆる電話帳機能を有している。
従来の携帯型通信装置の電話帳機能は、例えば、ユーザが操作キーなどを操作して入力された通信先の相手の名前および電話番号などを内部メモリに記憶し、ユーザからの呼び出し指示に応じて、登録順あるいはユーザの指定した順序で、内部メモリから読み出した名前および電話番号を順にディスプレイに表示する。ユーザは、例えば、使用頻度が高い電話番号が即座に表示されるように、上述した登録および指定を行う。
【０００３】
【発明が解決しようとする課題】
しかしながら、ユーザが携帯型通信装置を使用する際に、場所に応じて、電話をかける相手の使用頻度が異なる場合がある。例えば、職場、自宅近くの駅および自宅内では、電話をかける相手の頻度が異なる。
【０００４】
本発明は上述した従来技術の問題点に鑑みてなされ、電話帳に登録された電話番号の出力処理などの所定の処理を、携帯型通信装置の位置に適合して行うことができる携帯型通信装置および通信方法を提供することを目的とする。
【０００５】
【課題を解決するための手段】
上述した従来技術の問題点を解決し、上述した目的を達成するために、第１の発明の携帯型通信装置は、操作部と、表示部と、発信先との通信を基地局を介して行う送受信部と、前記操作部に行われた操作に応じて前記送受信部の動作を制御する処理部と、任意の発信先が登録されている電話帳情報を記憶する記憶部と、を有し、前記処理部は、前記操作部に行われた操作に応じて前記記憶部から前記電話帳情報を読み出したとき、前記送受信部と通信接続している前記基地局から当該基地局を介した通信の通信履歴情報を取得し、前記通信履歴情報に含まれている自ら発信した発信先を特定して当該発信を行った時刻を示す情報を用いて前記特定した発信先の優先順位を設定し、前記記憶部から読み出した前記電話帳情報に登録されている各発信先を前記優先順位に対応させて並べ替え、前記並べ替えた発信先を優先順位の高い順に前記表示部に表示させる。
【００１４】
また、第２の発明の通信方法は、携帯型通信装置の処理部が、当該携帯型通信装置の操作部に行われた操作に応じて前記携帯型通信装置の記憶部から電話帳情報を読み出す第１の工程と、前記処理部が、前記携帯型通信装置の送受信部と通信接続している基地局に通信履歴情報を要求する第２の工程と、前記基地局が、自ら記憶している通信履歴情報を前記携帯型通信装置へ送信する第３の工程と、前記携帯型通信装置の処理部が、前記前記送受信部を用いて取得した前記通信履歴情報に含まれている自ら発信した発信先を特定する第４の工程と、前記処理部が、前記通信履歴情報に含まれている発信時刻を示す情報を用いて前記特定した発信先の優先順位を設定する第５の工程と、前記処理部が、前記電話帳情報に登録されている各発信先を前記優先順位に対応させて並べ替える第６の工程と、前記処理部が、前記並べ替えた発信先を前記優先順位の高い順に前記携帯型通信装置の表示部に表示させる第７の工程と、を有する。
【００１７】
【発明の実施の形態】
以下、本発明の実施形態に係わる通信システムについて説明する。
なお、以下に示す実施形態は、本発明の好適な具体例であるから、技術的に好ましい種々の限定が付されているが、本発明の範囲は、以下の説明において、特に限定をする旨の記載がない限り、こらの形態に限定されるものではない。
【００１８】
第１実施形態
図１は、本実施形態の通信システム１の全体構成図である。
図１に示すように、通信システム１は、基地局２1 〜２n と、通信制御装置３と、携帯電話装置４とを有する。
ここで、携帯電話装置４が第１および第２の発明の携帯型通信装置に対応している。
【００１９】
〔基地局２1 〜２n 〕
基地局２1 〜２n は、所定の間隔で配設され、自らがカバーする所定の領域（以下、ゾーンとの記す）内で、通信制御装置３と携帯電話４との間の通信を中継する。
例えば、図２に示すように、基地局２1 〜２5 は、それぞれ所定の半径を持つ円形のゾーン８1 〜８5 を有し、隣接するゾーンの一部が重なり合っている。
【００２０】
〔通信制御装置３〕
通信制御装置３は、携帯電話装置４が基地局２1 〜２n を介して他の携帯電話装置や固定式の電話装置などとの間で行う発着信などを適切に行うための無線回線設定制御や呼制御などを行う。
【００２１】
〔携帯電話装置４〕
携帯電話装置４は、当該携帯電話装置４の位置を自らのゾーン内に有する基地局２1 〜２n を使って、他の携帯電話装置や固定式の電話装置コンピュータなどと通信を行う。
図３は、携帯電話装置４の機能ブロック図、図４は、携帯電話装置４の表側の概略外観図である。
図３に示すように、携帯電話装置４は、例えば、アンテナ２０、送受信部２１、処理部２２、記憶部２３、表示部２４および操作部２５を有する。
ここで、処理部２２が第１および第２の発明の処理手段に対応し、記憶部２３が第１および第２の発明の記憶手段に対応し、表示部２４が第２の発明の出力手段に対応している。
【００２２】
送受信部２１は、通信制御装置３の制御に基づいて、アンテナ２０を介して、他の電話装置やコンピュータとの間で、要求および情報の送受信を行う。
【００２３】
処理部２２は、操作部２５からの操作信号および送受信部２１が受信した要求および情報に応じて、所定の処理を行う。
処理部２２の処理について後に詳細に説明する。
【００２４】
記憶部２３は、記憶部２３は、操作部２５からの操作信号に応じて入力された電話帳情報と、通信履歴情報とを記憶する。電話帳情報は、通信相手の名前と当該通信相手の電話番号とを対応付けて示している。通信履歴情報は、過去に通信を行った通信先の電話番号、通信時刻（発信時刻および着信時刻）、並びに当該通信に用いた基地局の基地局ＩＤ情報（本発明の第１の位置情報）とを対応付けて示している。
【００２５】
表示部２４は、図４に示すように携帯電話装置４の表面側に設けられ、液晶ディスプレイなどを用いて構成される。
【００２６】
操作部２５は、図４に示すように携帯電話装置４の表面側に設けられ、テンキーなどを含む複数のボタンからなり、ユーザになるボタン操作に応じた操作信号を処理部２２に出力する。
【００２７】
以下、処理部２２の処理と関連付けながら携帯電話装置４の動作例を説明する。
なお、以下に示す動作例では、携帯電話装置４が、基地局２1 のゾーン内に位置する場合を例示して説明する。
先ず、ユーザから発信指示を受けた場合の携帯電話装置４の動作を説明する。
図５は、当該動作を説明するためのフローチャートである。
ステップＳＴ１：
ユーザが操作部２５を操作して、発信先の電話番号および発信指示を入力すると、それに応じた操作信号が操作部２５から処理部２２に出力される。
処理部２２は、操作部２５から当該操作信号を受信したと判断すると、ステップＳＴ２の処理を行う。
【００２８】
ステップＳＴ２：
処理部２２は、送受信部２１およびアンテナ２０を介して、発信先の電話番号および発信要求を図１に示す基地局２1 を介して通信制御装置３に送信する。
これにより、通信制御装置３の制御に基づいて、当該発信先の電話番号が割り当てられた電話装置と携帯電話装置４との間で通話が行われる。
【００２９】
ステップＳＴ３：
処理部２２は、当該発信の時刻と、発信先の電話番号と、当該発信に用いた基地局２1 の基地局ＩＤとを対応付けた情報を、記憶部２３に記憶された通信履歴情報に追加する。
例えば、処理部２２は、当該発信を、時刻「Ｄ３」に電話番号「Ｄ２」の相手方に対して行った場合には、図６に示すように、電話番号「Ｄ２」と発信時刻「Ｄ３」と基地局ＩＤ情報「ＩＤ1 」とを対応付けた情報を記憶部２３に記憶された通信履歴情報に追加する。
【００３０】
次に、ユーザから電話帳読み出し指示を受けた場合の携帯電話装置４の動作を説明する。
図７は、当該動作を説明するためのフローチャートである。
ステップＳＴ１１：
ユーザが操作部２５を操作して、電話帳読み出し指示を入力すると、それに応じた操作信号が操作部２５から処理部２２に出力される。
処理部２２は、操作部２５から当該操作信号を受信したと判断すると、ステップＳＴ１２の処理を行う。
【００３１】
ステップＳＴ１２：
処理部２２は、当該操作信号に応じて、送受信部２１およびアンテナ２０を介して基地局ＩＤ要求を基地局２1 に送信する。
送受信部２１は、アンテナ２０を介して、当該基地局ＩＤ要求の応答として基地局２1 から基地局ＩＤ情報ＩＤ1 （本発明の第２の位置情報）を受信する。
【００３３】
ステップＳＴ１３：
処理部２２は、記憶部２３から、例えば図８に示す電話帳情報を読み出し、当該電話帳情報のエントリを、図６に示す通信履歴情報に基づいてソートして（並べ替えて）、各エントリを表示部２４に表示する順番を決定する。
具体的には、処理部２２は、図６に示す通信履歴情報のうち、ステップＳＴ１２で受信した基地局ＩＤ情報ＩＤ1 が付されたエントリ「１」，「３」を特定し、発信時刻が新しいエントリ「１」にエントリ「３」よりも高い優先順位を与える。
そして、処理部２２は、図８に示す電話帳情報のエントリのうち、図６に示すエントリ「１」に対応するエントリ「４」に最も高い優先順位を与え、図６に示すエントリ「３」に対応するエントリ「３」に２番目に高い優先順位を与える。また、処理部２２は、図８に示す電話帳情報のエントリのうち、エントリ「４」および「３」以外のエントリについては、エントリ番号の小さいものにより高い優先順位を与える。
【００３４】
ステップＳＴ１４：
処理部２２は、ステップＳＴ１３で行った決定に従って、ユーザからの指示に応じて、電話帳情報内の各エントリを表示部２４に順に表示するように表示信号を生成し、当該表示信号を表示部２４に出力する。
具体的には、処理部２２は、ステップＳＴ１３で行った決定に従って、例えば、図９に示す順序で、電話帳情報内の各エントリを表示部２４に表示するように表示信号を生成し、当該表示信号を表示部２４に出力する。
【００３５】
以上説明したように、通信システム１によれば、携帯電話装置４は、自らの位置をゾーンとする基地局において過去に使用した電話番号を特定し、電話帳情報に登録された複数の電話番号のうち、当該特定した電話番号を優先的に表示する。そのため、ユーザは、同じ場所で同じ相手に電話をかけることが多い場合に、携帯電話装置４に登録した電話帳情報から必要な電話番号を即座に検索でき、便利である。
【００３６】
第１実施形態の変形例
上述した実施形態では、携帯電話装置４が通信に利用した基地局の基地局ＩＤ情報を、本発明の携帯型通信装置の位置情報として用いた場合を例示したが、携帯電話装置４の位置情報をＧＰＳ(Global Positioning System) などを用いて得てもよい。
また、上述した実施形態では、電話帳情報に登録された電話番号をソートした後に表示部２４に表示する場合を例示したが、電話番号を音声出力してもよいし、表示出力と音声出力との双方を行うようにしてもよい。
また、上述した実施形態では、通信履歴情報の各エントリにそれぞれ一つの基地局ＩＤ情報を設けた場合を例示したが、当該通信時に複数の基地局から当該基地局ＩＤ情報を受信した場合には、当該複数の基地局の基地局ＩＤ情報を単数のエントリに設けてもよい。
【００３７】
第２実施形態
図１０は、本実施形態の通信システム５１の全体構成図である。
図１０に示すように、通信システム５１は、基地局５２1 〜５２n と、通信制御装置３と、携帯電話装置５４とを有する。
図１０において、図１と同じ符号を付した通信制御装置３は、第１実施形態で説明した通信制御装置３と同じである。
通信システム５１では、基地局５２1 〜５２n および携帯電話装置５４の処理に特徴がある。
ここで、基地局５２1 〜５２n が第３の発明の通信中継装置に対応し、携帯電話装置５４が第４の発明の携帯型通信装置に対応している。
【００３８】
〔基地局５２1 〜５２n 〕
基地局５２1 〜５２n は、所定の間隔で配設され、自らがカバーする所定の領域（以下、ゾーンとの記す）内で、通信制御装置３と携帯電話装置５４との間の通信を中継する。
以下、基地局５２1 〜５２n の動作例を説明する。
先ず、基地局５２1 〜５２n が、携帯電話装置５４から発信指示を受けた場合の動作例を説明する。
図１１は、当該動作例を説明するためのフローチャートである。
ステップＳＴ２１：
基地局５２1 〜５２n は、携帯電話装置４から発信先の電話番号と共に発信指示を受けると、ステップＳＴ２２の処理に進む。
【００３９】
ステップＳＴ２２：
基地局５２1 〜５２n は、ステップＳＴ２１で受けた発信指示を通信制御装置３に中継し、通信制御装置３による通信制御に基づいて、携帯電話装置４と発信先の電話装置との間の通信を中継する。
【００４０】
ステップＳＴ２３：
基地局５２1 〜５２n は、当該携帯電話装置４の通信履歴情報を作成あるいは更新する。
このとき、例えば、携帯電話装置５４が基地局５２1 を介して発信時刻Ｄ３に電話番号Ｄ２の相手先に発信を行った場合に、図１２に示すように、記憶している通信履歴情報を更新する。
図１２に示すように、通信履歴情報は、発信元の電話番号である携帯電話装置５４の電話番号Ｘと、発信先の電話番号「Ｄ２」と、発信時刻「Ｄ３」とを対応付けて示している。
【００４１】
次に、基地局５２1 〜５２n が、携帯電話装置５４から電話帳読み出し指示を受けた場合の動作例を説明する。
図１３は、当該動作例を説明するためのフローチャートである。
ステップＳＴ３１：
基地局５２1 〜５２n は、携帯電話装置５４から電話帳読み出し指示を受けると、ステップＳＴ３２の処理に進む。
【００４２】
ステップＳＴ３２：
基地局５２1 〜５２n は、内蔵する記憶部から、当該携帯電話装置５４の通信履歴情報を読み出す。
【００４３】
ステップＳＴ３３：
基地局５２1 〜５２n は、ステップＳＴ３２で読み出した通信履歴情報を、当該携帯電話装置５４に送信する。
【００４４】
〔携帯電話装置５４〕
携帯電話装置５４は、当該携帯電話装置５４の位置を自らのゾーン内に有する基地局５２1 〜５２n を使って、他の携帯電話装置や固定式の電話装置コンピュータなどと通信を行う。
図１４は、携帯電話装置５４の機能ブロック図である。
図１４に示すように、携帯電話装置５４は、例えば、アンテナ２０、送受信部２１、処理部６２、記憶部６３、表示部２４および操作部２５を有する。
図１４において、図３と同じ符号を付したアンテナ２０、送受信部２１、表示部２４および操作部２５は、第１実施形態で説明した同一符号の構成要素と同じである。
携帯電話装置５４は、処理部６２の処理と、記憶部６３の記憶情報とに特徴を有している。
ここで、処理部６２が第４の発明の処理手段に対応し、記憶部６３が第４の発明の記憶手段に対応し、送受信部２１が第４の発明の受信手段に対応し、表示部２４が第４の発明の出力手段に対応している。
【００４５】
以下、処理部２２の処理および記憶部２３の記憶情報と関連付けながら携帯電話装置５４の動作例を説明する。
なお、以下に示す動作例では、携帯電話装置５４が、基地局５２1 のゾーン内に位置する場合を例示して説明する。
当該動作例では、ユーザから電話帳読み出し指示を受けた場合の携帯電話装置５４の動作例を説明する。
図１５は、当該動作を説明するためのフローチャートである。
ステップＳＴ４１：
ユーザが操作部２５を操作して、電話帳読み出し指示を入力すると、それに応じた操作信号が操作部２５から処理部６２に出力される。
処理部６２は、操作部２５から当該操作信号を受信したと判断すると、ステップＳＴ４２の処理を行う。
【００４６】
ステップＳＴ４２：
処理部６２は、当該操作信号に応じて、送受信部２１およびアンテナ２０を介して通信履歴情報要求を基地局５２1 に送信する。
【００４７】
ステップＳＴ４３：
送受信部２１が、アンテナ２０を介して、当該通信履歴情報要求の応答として基地局５２1 から図１２に示す通信履歴情報を受信する。
【００４８】
ステップＳＴ４４：
処理部６２は、記憶部６３から例えば図８に示す電話帳情報を読み出し、当該電話帳情報のエントリを、図１２に示す通信履歴情報に基づいてソートして（並べ替えて）、ユーザからの指示に応じて、各エントリを表示部２４に表示する順番を決定する。
具体的には、処理部６２は、図１２に示す通信履歴情報において、発信時刻が新しいエントリ「１」に、エントリ「２」よりも高い優先順位を与える。
そして、処理部６２は、図８に示す電話帳情報のエントリのうち、図６に示すエントリ「１」に対応するエントリ「４」に最も高い優先順位を与え、図６に示すエントリ「２」に対応するエントリ「３」に２番目に高い優先順位を与える。また、処理部６２は、図８に示す電話帳情報のエントリのうち、エントリ「４」および「３」以外のエントリについては、エントリ番号の小さいものに、より高い優先順位を与える。
【００４９】
ステップＳＴ４５：
処理部６２は、ステップＳＴ４４で行った決定に従って、ユーザからの指示に応じて、電話帳情報内の各エントリを表示部２４に順に表示するように表示信号を生成し、当該表示信号を表示部２４に出力する。
具体的には、処理部６２は、ステップＳＴ４４で行った決定に従って、例えば、図９に示す順序で、電話帳情報内の各エントリを表示部２４に表示するように表示信号を生成し、当該表示信号を表示部２４に出力する。
【００５０】
以上説明したように、通信システム５１によれば、携帯電話装置５４は、自らの位置をゾーンとする基地局において過去に使用した電話番号を特定し、電話帳情報に登録された複数の電話番号のうち、当該特定した電話番号を優先的に表示する。そのため、ユーザは、同じ場所で同じ相手に電話をかけることが多い場合に、携帯電話装置５４に登録した電話帳情報から必要な電話番号を即座に検索でき、便利である。
【００５１】
第２実施形態の変形例
上述した実施形態では、携帯電話装置５４が通信に利用した基地局の基地局ＩＤ情報を、本発明の携帯型通信装置の位置情報として用いた場合を例示したが、携帯電話装置４の位置情報をＧＰＳなどを用いて得てもよい。
また、上述した実施形態では、電話帳情報に登録された電話番号をソートした後に表示部２４に表示する場合を例示したが、電話番号を音声出力してもよいし、表示出力と音声出力との双方を行うようにしてもよい。
【００５２】
本発明は上述した実施形態には限定されない。
例えば、上述した実施形態では、携帯型通信装置の位置情報を用いて電話帳情報に登録された電話番号の出力形態を決定する場合を例示したが、その他に、携帯型通信装置の位置情報を用いて、例えば、当該位置で過去に検索した店舗の情報を表示部に表示する場合などにも、本発明は適用可能である。
【００５３】
また、本発明では、通信制御装置３と連携して動作する決済装置に記憶された決済履歴情報を通信履歴情報として用いてもよい。
【００５４】
【発明の効果】
以上説明したように、本発明によれば、所定の処理を携帯型通信装置の位置に適合して行うことができる携帯型通信装置および通信方法を提供できる。
また、本発明によれば、電話帳に登録された電話番号の出力処理などを、携帯型通信装置の位置に適合して行うことができる携帯型通信装置および通信方法を提供できる。
【図面の簡単な説明】
【図１】図１は、本発明の第１実施形態の通信システムの全体構成図である。
【図２】図２は、図１に示す基地局のゾーンを説明するための図である。
【図３】図３は、図１に示す携帯電話装置の機能ブロック図である。
【図４】図４は、図１に示す携帯電話装置の表側の概略外観図である。
【図５】図５は、ユーザから発信指示を受けた場合の図１に示す携帯電話装置の動作を説明するためのフローチャートである。
【図６】図６は、図１に示す携帯電話装置が記憶する通信履歴情報の一例を説明するための図である。
【図７】図７は、ユーザから電話帳読み出し指示を受けた場合の図１に示す携帯電話装置の動作を説明するためのフローチャートである。
【図８】図８は、図１に示す携帯電話装置が記憶する電話帳情報を説明するための図である。
【図９】図９は、図１に示す携帯電話装置における電話帳情報の出力順序を説明するための図である。
【図１０】図１０は、本発明の第２実施形態の通信システムの全体構成図である。
【図１１】図１１は、図１０に示す基地局が、携帯電話装置から発信指示を受けた場合の動作例を説明するためのフローチャートである。
【図１２】図１２は、図１０に示す基地局が記憶する通信履歴情報の一例を説明するための図である。
【図１３】図１３は、図１０に示す基地局が、携帯電話装置から電話帳読み出し指示を受けた場合の動作例を説明するためのフローチャートである。
【図１４】図１４は、図１０に示す携帯電話装置の機能ブロック図である。
【図１５】図１５は、ユーザから電話帳読み出し指示を受けた場合の図１０に示す携帯電話装置の動作を説明するためのフローチャートである。
【符号の説明】
１…通信システム、２1 〜２n ，５２1 〜５２n …基地局、３…通信制御装置、４，５４…携帯電話装置、８1 〜８n …ゾーン、２０…アンテナ、２１…送受信部、２２，６２…処理部、２３，６３…記憶部、２４…表示部、２５…操作部
【図１】
0004465836.tif 000002
【図２】
0004465836.tif 000003
【図３】
0004465836.tif 000004
【図４】
0004465836.tif 000005
【図５】
0004465836.tif 000006
【図６】
0004465836.tif 000007
【図７】
0004465836.tif 000008
【図８】
0004465836.tif 000009
【図９】
0004465836.tif 000010
【図１０】
0004465836.tif 000011
【図１１】
0004465836.tif 000012
【図１２】
0004465836.tif 000013
【図１３】
0004465836.tif 000014
【図１４】
0004465836.tif 000015
【図１５】
0004465836.tif 000016